(57)【要約】【課題】外開口から液体が入っても、筐体にまで浸入するのを抑えることができる天板及び加熱調理器を提供する。【解決手段】天板４は、一面に開口面３１１を有する筐体３に対し、開口面３１１に沿って取り付けられる。天板４は、筐体３の内部の空間に通じる内開口４６３と、内開口４６３に通じ、外部の空間に面する外開口５１２と、堰部４６１と、を備える。外開口５１２は、平面視において内開口４６３からずれた位置に形成される。堰部４６１は、平面視において内開口４６３と外開口５１２との間に形成され、外開口５１２から入った液体Ｌが内開口４６３に入るのを遮る。【選択図】図４
2020148396.tif 000002
【特許請求の範囲】
【請求項１】
一面に開口面を有する筐体に対し、前記開口面に沿って取り付けられる天板であって、
前記筐体の内部の空間に通じる内開口と、
前記内開口に通じ、平面視において前記内開口からずれた位置に形成され、外部の空間に面する外開口と、
平面視において前記内開口と前記外開口との間に形成され、前記外開口から入った液体が前記内開口に入るのを遮る堰部と、
を備える、
天板。
【請求項２】
前記内開口は、前記堰部の上端につながる上板部に形成されている、
請求項１記載の天板。
【請求項３】
法線が後方向の成分を含む後向き面を更に備え、
前記外開口が前記後向き面に形成されている、
請求項１又は請求項２記載の天板。
【請求項４】
前記後向き面は、後方向に行くに従って下方向に行くように水平面に対して傾斜している、
請求項３記載の天板。
【請求項５】
前記外開口は、外部の気体を前記筐体の内部に取り込むための吸気口である、
請求項１〜４のいずれか一項に記載の天板。
【請求項６】
一面に開口面を有する筐体と、
前記筐体に対し前記開口面に沿って取り付けられた請求項１〜５のいずれか一項に記載の天板と、
を備える、
加熱調理器。
【発明の詳細な説明】
【技術分野】
【０００１】
本発明は、天板及び加熱調理器に関する。
【背景技術】
【０００２】
特許文献１には、従来の加熱調理器が記載されている。特許文献１に記載の加熱調理器は、機器本体の上面開口を覆う天板部を備える。機器本体はグリル庫を備える。
【０００３】
天板部は、ガラス板と、グリル排気口が形成された後板と、グリル排気口に通じる開口が形成された第一裏板と、を備える。天板部の上面は、ガラス板と後板とで構成されており、第一裏板は、ガラス板及び後板の下面に対して対向している。グリル排気口と開口とは、平面視で重なった位置に形成されている。第一裏板の開口は、機器本体の内部に通じている。
【先行技術文献】
【特許文献】
【０００４】
【特許文献１】特開２０１５−０４０６５８号公報
【発明の概要】
【発明が解決しようとする課題】
【０００５】
ところで、特許文献１に記載の天板部では、グリル排気口と、第一裏板の開口とが、平面視で重なった位置に形成されている。このため、煮こぼれ等の液体が、グリル排気口に入ると、そのまま開口を通って、機器本体の内部に浸入しやすいという問題がある。
【０００６】
本発明は、上記事情に鑑みてなされ、外開口から液体が入っても、筐体にまで浸入するのを抑えることができる天板及び加熱調理器を提供することを目的とする。
【課題を解決するための手段】
【０００７】
本発明に係る一態様の天板は、一面に開口面を有する筐体に対し、前記開口面に沿って取り付けられる。前記天板は、前記筐体の内部の空間に通じる内開口と、前記内開口に通じ、外部の空間に面する外開口と、を備える。前記外開口は、平面視において前記内開口からずれた位置に形成される。前記天板は、平面視において前記内開口と前記外開口との間に形成され、前記外開口から入った液体が前記内開口に入るのを遮る堰部を更に備える。
【０００８】
本発明に係る一態様の加熱調理器は、一面に開口面を有する筐体と、前記筐体に対し前記開口面に沿って取り付けられた前記天板と、を備える。
【発明の効果】
【０００９】
本発明に係る上記態様の天板及び加熱調理器は、外開口から液体が入っても、筐体にまで浸入するのを抑えることができる、という利点がある。
【図面の簡単な説明】
【００１０】
【図１】図１は、本発明の一実施形態に係る加熱調理器の斜視図である。
【図２】図２は、同上の加熱調理器の分解斜視図である。
【図３】図３は、同上の天板の下プレートの斜視図である。
【図４】図４は、同上の加熱調理器の後部の断面図である。
【図５】図５は、同上の加熱調理器をワークトップに取り付けた状態の側面図である。
【図６】図６は、変形例に係る加熱調理器の断面図である。
【発明を実施するための形態】
【００１１】
（１）実施形態
（１．１）概要
本実施形態に係る天板４は、図１に示すように、例えば、加熱調理器１に用いられ、筐体３に対して取り付けられる。筐体３は、図２に示すように、一面（ここでは上面）に開口面３１１を有する。天板４は、筐体３の開口面３１１に沿って取り付けられる。
【００１２】
天板４は、図４に示すように、筐体３の内部の空間に通じる内開口４６３と、外部の空間に面するように形成され、かつ内開口４６３に通じる外開口５１２と、堰部４６１と、を備える。外開口５１２は、平面視において内開口４６３からずれた位置に形成される。堰部４６１は、平面視において内開口４６３と外開口５１２との間に形成され、外開口５１２から入った液体Ｌが内開口４６３に入るのを遮る。本開示でいう「平面視」とは、上下方向に沿って、対象物を見ることを意味する。
【００１３】
このため、本実施形態に係る天板４によれば、万が一、煮こぼれ等の液体Ｌが外開口５１２に入ったとしても、堰部４６１によって、液体Ｌが内開口４６３に入るのを妨げることができる。このため、本実施形態に係る天板４によれば、外開口５１２から液体Ｌが入っても、液体Ｌが筐体３にまで浸入するのを抑えることができる。
【００１４】
（１．２）詳細
（１．２．１）全体構成
以下、本実施形態に係る加熱調理器１について、詳細に説明する。加熱調理器１は、調理物を加熱して調理する装置であり、本実施形態に係る加熱調理器１は、ガス（燃料ガス）を用いて加熱調理を行うガスこんろである。本実施形態に係るガスこんろは、ビルトインタイプのガスこんろであり、より詳しくは、システムキッチン等のワークトップに設置されるドロップインタイプのガスこんろである。ただし、ガスこんろとしては、卓上タイプのテーブルこんろであってもよい。加熱調理器１としては、ガスこんろに限らず、例えば、ＩＨ（Induction Heating）調理器、電気こんろ、グリル付きのガスこんろ（変形例参照）、グリル付きのＩＨ調理器等であってもよい。
【００１５】
本実施形態に係るガスこんろは、図１に示すように、こんろ本体２と、複数の五徳８と、を備える。
【００１６】
（１．２．２）こんろ本体
こんろ本体２は、ガスこんろの主体をなす部分である。こんろ本体２は、五徳８に載せられた加熱対象物を、バーナ６によって加熱する。本開示にいう「加熱対象物」は、例えば、調理物が入った調理容器、調理物が載った調理網、調理物が載った調理プレート、調理物そのもの等が挙げられる。こんろ本体２は、図１に示すように、筐体３と、天板４と、複数（ここでは二つ）のバーナ６と、を備える。
【００１７】
（１．２．２．１）筐体
筐体３は、機器を収める箱状の部材である。本実施形態に係る筐体３は、設置された状態では、ワークトップの上面よりも下方に位置する。筐体３は、図２に示すように、箱部３１と、鍔部３２と、を備える。本実施形態に係る筐体３は、金属板によって構成されている。
【００１８】
箱部３１は、機器が収まる部分である。本実施形態に係る箱部３１には、複数のバーナ６の本体、開閉弁及び制御機器等の機器のほか、複数のバーナ６につながるガス供給用の配管、電気ケーブル等が収まっている。本実施形態に係る箱部３１は、略直方体状に形成されており、箱部３１の上面は開口面３１１である。要するに、筐体３は、一面（ここでは上面）に開口面３１１を有する。本実施形態に係る開口面３１１は、箱部３１の上面の全面であるが、本開示では、箱部３１の上面の一部に形成されてもよい。
【００１９】
鍔部３２は、筐体３と天板４との接続に用いられる部分である。鍔部３２は、箱部３１の上端から平面視で箱部３１の中央から離れる方向（外側）に、水平面に沿って突出している。鍔部３２の上面には、天板４が載る。天板４は、鍔部３２に対して固定されている。鍔部３２に対する天板４の固定は、例えば、ねじ止め、嵌め込み、引掛け等で実現されるが、そのほか、天板４及び鍔部３２がワークトップに取り付けられることで、相互に固定されてもよい。
【００２０】
鍔部３２は、後述の天板４の内開口４６３に対向する長鍔部３２１を備える。本実施形態に係る長鍔部３２１は、箱部３１の上端のうちの後側の端部から後方向に沿って突出している。長鍔部３２１の幅寸法（箱部３１から突出した寸法）は、他の鍔部３２の幅よりも長い。
【００２１】
（１．２．２．２）天板
天板４は、こんろ本体２の最上部の板である。本実施形態に係る天板４は、筐体３に対し、筐体３の開口面３１１を覆うようにして取り付けられている。本実施形態に係る天板４は、トッププレート本体４１と、フレーム４３と、カバー４８と、複数のバーナリング４２と、を備える。
【００２２】
（１．２．２．２．１）トッププレート本体
トッププレート本体４１は、天板４の主体をなす板体である。本実施形態に係るトッププレート本体４１は、平板であり、上面が水平面に対して略平行である。トッププレート本体４１は、例えば、ガラス、琺瑯、ステンレス、アルミニウム、フッ素コーティングを施した鋼板等で構成される。ここでいう琺瑯には、金属板の表面に釉薬を塗り焼成して表面をガラス質に変性させた材料のほか、その表面に更にガラスコーティングを施した材料も含む。
【００２３】
トッププレート本体４１は、複数のバーナ６に対応する複数の穴４１１を有する。各穴４１１は、トッププレート本体４１の厚み方向に沿って、上面と下面とを貫通している。穴４１１には、バーナ６の一部（ここでは、上端部）が通されている。本実施形態に係る穴４１１は、円形（真円形）であるが、本開示では、例えば、楕円形、長円形、多角形（四角形、五角形、六角形等）等であってもよい。
【００２４】
（１．２．２．２．２）フレーム
フレーム４３は、天板４の下面及び外周の縁を構成する。フレーム４３は、図２に示すように、枠体４７と、下プレート４４と、を備える。
【００２５】
枠体４７は、天板４の外周の縁を構成する。本実施形態に係る枠体４７は、金属製の縁材である。金属としては、例えば、アルミニウム、アルミニウム合金、ステンレス、スチール等が挙げられる。ただし、枠体４７は、金属に制限されず、合成樹脂、ゴム、繊維強化プラスチック等で構成されてもよい。枠体４７は、平面視略矩形枠状に形成されている。
【００２６】
下プレート４４は、トッププレート本体４１の下面を覆う。下プレート４４は、本実施形態では、金属製の板材である。金属の材料としては、枠体４７と同様、例えば、アルミニウム、アルミニウム合金、ステンレス、スチール等が挙げられる。また下プレート４４は、金属に制限されず、合成樹脂、繊維強化プラスチック等で構成されてもよい。
【００２７】
下プレート４４は、図３に示すように、本体部４５と、通気部４６と、を備える。通気部４６は、鍔部３２のうちの長鍔部３２１に対応した位置に配置されている。
【００２８】
本体部４５は、下プレート４４の主体をなす部分である。本体部４５は、トッププレートが載る複数の載置面４５１を有する。本実施形態に係る載置面４５１は、載置面４５１以外の部分よりも高くなるように形成されており、下プレート４４の外周に沿った部分（外周部）と、バーナ６を通す貫通穴４５２に沿った部分と、堰部４６１の前端部分と、に形成されている。ただし、載置面４５１は、本体部４５の全面にわたって形成されてもよい。
【００２９】
通気部４６は、カバー４８に形成された外開口５１２と、筐体３の内部の空間とを通じさせ、かつ外開口５１２から筐体３の内部への浸水を抑える部分である。通気部４６は、図４に示すように、堰部４６１と、複数の内開口４６３が形成された上板部４６２と、を備える。
【００３０】
堰部４６１は、外開口５１２から入った液体Ｌが内開口４６３に入るのを遮る。堰部４６１の少なくとも一部は、平面視において、内開口４６３と外開口５１２との間に位置している。堰部４６１は、本体部４５から立ち上げられており、堰部４６１の上端は、載置面４５１よりも上方に位置している。本実施形態に係る堰部４６１は、上方向に行くに従って内開口４６３に近付く方向に行くように、水平面に対して傾斜している。本実施形態に係る堰部４６１は、図３に示すように、平面視において、内開口４６３を囲むような、長円形の円環状に形成されている。
【００３１】
上板部４６２は、堰部４６１の上端につながる部分である。上板部４６２は、本体部４５の載置面４５１よりも上方に位置している。本実施形態に係る上板部４６２は、板状に形成されており、水平面に沿っている。上板部４６２は、平面視略長円形に形成されている。上板部４６２には、複数の内開口４６３が形成されている。
【００３２】
内開口４６３は、筐体３の内部の空間と外開口５１２とを通じさせる。すなわち、内開口４６３は、筐体３の内部の空間に通じる。本実施形態に係る内開口４６３は、図４に示すように、長鍔部３２１の上面に対し、間隔を置いて対向している。本実施形態に係る内開口４６３は、図３に示すように、スロット状に形成されている。複数の内開口４６３は、左右方向に一定の間隔を置いて並んでいる。
【００３３】
本実施形態に係る加熱調理器１は、内開口４６３を複数備えるが、本開示に係る加熱調理器１では、内開口４６３は、一つであってもよい。また、内開口４６３は、上板部４６２の一部にのみ形成されてもよいし、上板部４６２の全面にわたって形成されてもよい。
【００３４】
本実施形態に係る天板４では、例えば、水、油、煮こぼれ等の液体Ｌが、外開口５１２から浸入し、本体部４５の上面に落ちても、図４に示すように、液体Ｌは、堰部４６１によって遮られるため、内開口４６３に入りにくい。しかも、本実施形態では、内開口４６３は上板部４６２に形成されているため、万が一、液体Ｌが堰部４６１を越えても、上板部４６２を伝わないと内開口４６３に到達しないため、液体Ｌが筐体３の内部に浸水するのを抑えることができる。
【００３５】
（１．２．２．２．３）カバー
カバー４８は、下プレート４４のうち、トッププレート本体４１よりも後側の部分（後端部）を覆う。下プレート４４の後端部は、通気部４６を含む。要するに、カバー４８は、内開口４６３を上から覆う。カバー４８は、上板部４６２に対して、上方向に離れている。したがって、カバー４８と上板部４６２との間には空間が形成されており、本実施形態に係る天板４は少なくとも後側の端部（下プレート４４とカバー４８とが対向する部分）が中空である。本実施形態に係るカバー４８は、スチール板で構成されるが、本開示では、例えば、琺瑯、ステンレス、鋼板、耐熱性樹脂、繊維強化プラスチック等で構成されてもよい。カバー４８は、図４に示すように、立面部４９と、横板部５０と、隆起部５１と、を備える。
【００３６】
立面部４９は、トッププレート本体４１の上面から上方向に立ち上がる部分である。立面部４９の下端面は、トッププレート本体４１の上面に当たる。立面部４９の下端とトッププレート本体４１の上面との間には、シール材が設けられる。シール材としては、例えば、シリコンボンド、天然ゴム、合成ゴム、軟質樹脂、金属等が挙げられる。本実施形態に係る立面部４９は、鉛直面に沿っている。ただし、立面部４９は、上方向に行くに従って後方向に行くように水平面に対して傾斜してもよい。
【００３７】
横板部５０は、立面部４９の上端から後方向に沿って延びている。本実施形態に係る横板部５０は、水平面に沿っており、通気部４６に対して上方に対向している。
【００３８】
隆起部５１は、横板部５０から隆起している。隆起部５１のうち頂点よりも前側の部分は、後方向に行くに従って上方向に行くように、水平面に対して傾斜している。例えば、煮こぼれが生じ、煮こぼれ等の液体Ｌがトッププレート本体４１の上面で広がっても、立面部４９及び隆起部５１があることで、液体Ｌが外開口５１２にまで至りにくい。
【００３９】
隆起部５１のうち頂点よりも後側の部分は、後方向に行くに従って下方向に行くように、水平面に対して傾斜している。本実施形態では、隆起部５１のうち頂点よりも後側の部分の上面を、「後向き面５１１」とする。
【００４０】
後向き面５１１は、法線が後方向の成分を含む。本開示において「後方向の成分を含む」とは、法線を、鉛直方向と水平方向とに分解したときに、水平方向のうちの後方向の成分を含むことを意味する。したがって、「法線が後方向の成分を含む」ことには、後向き面５１１が後方向に行くに従って下方向に行くように、水平面に対して僅かに傾斜する場合や、後向き面５１１が鉛直面である場合、後向き面５１１が曲面である場合等も含まれる。本実施形態に係る後向き面５１１は平面であるため、法線は一方向であり、後方向に行くに従って上方向に行くように、水平面に対して傾斜した方向に向いている。
【００４１】
後向き面５１１には、外開口５１２が形成されている。外開口５１２は、筐体３の内部の空間と、外部の空間との間で気体（ここでは、空気）を通すための開口である。外開口５１２は、外部の空間に面しており、内開口４６３に通じている。上述の通り、内開口４６３は、筐体３の内部の空間に通じているから、外開口５１２は、筐体３の内部の空間に通じている。外開口５１２は、内開口４６３の後方に位置しており、平面視において、内開口４６３からずれた位置に形成されている。
【００４２】
本開示において、外開口５１２が「平面視において内開口４６３からずれた位置に形成される」とは、外開口５１２と内開口４６３とが、平面視において重なった部分を有さないことを意味する。したがって、外開口５１２を通る液体Ｌは、重力に従って落下すると、内開口４６３には入らない。また、本開示でいう「外部の空間」とは、加熱調理器１の機器の外部を意味する。したがって、例えば、加熱調理器１を室内に設置している場合には、「外部の空間」は室内の空間のことである。
【００４３】
本実施形態に係る外開口５１２は、外部の気体（空気）を筐体３の内部に取り込むための吸気口である。外開口５１２及び内開口４６３を通じて筐体３の内部に取り込まれた空気は、本実施形態では、バーナ６の燃料ガスと混合される一次空気として利用される。
【００４４】
本実施形態に係る天板４は、図２に示すように、複数の外開口５１２を備える。各外開口５１２は、左右方向に延びており、複数の外開口５１２は左右方向に一定の間隔を置いて形成されている。
【００４５】
本実施形態に係る天板４では、上述した通り、後向き面５１１が、後方向に行くに従って下方向に行くように、水平面に対して傾斜している。このため、図５に示すように、天板４の後側の端部を壁面Ｗ等に近接させた状態で設置した場合でも、外開口５１２が壁面Ｗで塞がれない。したがって、本実施形態に係る天板４によれば、外開口５１２を目立たないようにしながらも、一定状の通気量を確保することができる。
【００４６】
（１．２．２．２．４）バーナリング
バーナリング４２は、トッププレート本体４１に対し、穴４１１の内周面とバーナ６との間の隙間を覆うようにして取り付けられている。バーナリング４２によれば、例えば、五徳８に置かれた調理容器等から吹きこぼれが生じても、吹きこぼれが穴４１１に入るのを抑えることができる。本実施形態に係るバーナリング４２は、トッププレート本体４１に対して取外し可能に取り付けられている。
【００４７】
（１．２．２．３）バーナ
バーナ６は、ガスを用いて加熱対象物を加熱する装置である。本実施形態に係るバーナ６は、予混合燃焼バーナであり、具体的には、ガスこんろの筐体３の内部において、ガス及び一次空気の供給を受けて炎を生成するブンゼンバーナである。ただし、本開示に係るバーナ６は、拡散燃焼バーナであってもよい。また、ガスとしては、特に制限はなく、例えば、都市ガス、プロパンガス等、いずれが用いられてもよい。
【００４８】
バーナ６は、ガス供給用の配管が接続された部分（バーナ６の本体）が筐体３の内部に設置され、炎孔を有する部分がバーナリング４２の上に設置される。炎孔を有する部分の一部が、バーナリング４２の貫通孔を通り、ガス供給用の配管が接続された部分に接続される。
【００４９】
（１．２．３）五徳
五徳８は、加熱対象物を載せる。五徳８は、天板４に対して取外し可能に取り付けられている。本実施形態に係る五徳８は、バーナリング４２に載った状態で、位置決め部によって、天板４上で位置決めされている。本実施形態に係る五徳８は、複数（ここでは二つ）あり、複数のバーナ６に対応して、天板４に取り付けられている。五徳８は、本実施形態では、例えば、琺瑯、スチール、ステンレス、アルミニウム等で構成される。本実施形態に係る五徳８は、板体から構成されている。ただし、本開示に係る五徳８は、鋳物であってもよい。
【００５０】
（２）変形例
上記実施形態は、本開示の様々な実施形態の一つに過ぎない。実施形態は、本開示の目的を達成できれば、設計等に応じて種々の変更が可能である。以下、上記実施形態の変形例を説明する。
【００５１】
（２．１）変形例１
上記実施形態に係る加熱調理器１は、グリルを有さないガスこんろであったが、本変形例に係る加熱調理器１は、図６に示すように、グリル付きのガスこんろである。
【００５２】
本変形例に係るグリル付きガスこんろは、こんろ本体２と、複数の五徳８と、を備える。こんろ本体２は、グリル装置７と、筐体３と、天板４と、を備える。五徳８及び天板４の構造は、上記実施形態と同じである。
【００５３】
筐体３は、機器を収める箱状の部材である。筐体３の内部には、上記実施形態と同様、バーナ６の本体、開閉弁、制御機器、ガス供給用の配管及び電気ケーブル等が収まっているが、これに加えて本変形例では、グリル装置７が収まっている。
【００５４】
グリル装置７は、グリル調理を行うことができる装置である。グリル装置７は、グリル庫７１と、グリル庫７１内の排気が通る排気路７２と、を備える。グリル庫７１は、調理物が収まった状態で加熱調理することで、グリル調理を行うことができる。排気路７２は、グリル庫７１と内開口４６３とをつなぐ流路である。
【００５５】
本変形例に係る内開口４６３のうちの一部は、排気路７２からの排気が通る部分として用いられ、内開口４６３の他の部分には、上記実施形態のように、外部の空気を筐体３の内部に取り込むために用いられる。要するに、本変形例では、内開口４６３に通じる「筐体３の内部の空間」として、グリル庫７１の内部の空間も含む。
【００５６】
本変形例では、外開口５１２は、排気口としても機能する。また、ガスこんろとして使用する場合、外開口５１２は、吸気口としても機能する。
【００５７】
本変形例に係る加熱調理器１でも、実施形態と同様、天板４に外開口５１２が形成されていても、外開口５１２から入った液体Ｌは、堰部４６１によって遮られるため、内開口４６３に入りにくいという効果を奏することができる。
【００５８】
（２．２）その他の変形例
以下、実施形態の変形例を列挙する。以下に説明する変形例は、適宜組み合わせて適用可能である。
【００５９】
上記実施形態に係る加熱調理器１では、外開口５１２及び内開口４６３は、天板４の後側の端部に形成されたが、本開示では、天板４の左右方向の端部、前側の端部、又は天板４の中央部に形成されてもよい。また、本実施形態に係る外開口５１２及び内開口４６３は吸気口であったが、例えば、本開示に係る外開口５１２及び内開口４６３は、排熱を吐出する排熱口や、冷却のための空気取り込み口として用いられてもよい。
【００６０】
上記実施形態に係る加熱調理器１では、隆起部５１を備えたが、隆起部５１はなくてもよい。
【００６１】
上記実施形態に係る通気部４６では、堰部４６１の上端に上板部４６２が形成されたが、上板部４６２はなくてもよい。この場合、例えば、内開口４６３を本体部４５に形成し、内開口４６３と外開口５１２との間の堰部４６１として、本体部４５に直交するリブを形成してもよい。
【００６２】
また、本実施形態に係る堰部４６１は、下プレート４４において、本体部４５から立ち上がっていたが（図３参照）、平面視において外開口５１２と重なる箇所に、本体部４５から凹む液溜まりを設け、液溜まりの内開口４６３側の側面を堰部４６１としてもよい。
【００６３】
また、本実施形態に係る堰部４６１は、堰部４６１の全体が、平面視において、内開口４６３と外開口５１２との間に形成されているが、例えば、堰部４６１の上面が上方向に行くに従って内開口４６３に近付くように水平面に対して傾斜している場合、堰部４６１の一部と外開口５１２とが、平面視で重なっていてもよい。要するに、本開示に係る堰部４６１は、少なくとも堰部４６１の上端部が、内開口４６３と外開口５１２との間に形成されていればよい。
【００６４】
上記変形例では、内開口４６３のうちの一部は排気口であり、内開口４６３のうちの他の部分は、吸気口であったが、本開示では、内開口４６３の全てが排気口であってもよい。
【００６５】
上記実施形態に係る筐体３は、略直方体状に形成されたが、本開示では、例えば、略立方体状、有底円筒形状等であってもよく、形状に制限はない。
【００６６】
上記実施形態に係るガスこんろは、複数のバーナ６を有したが、本開示では、一つのみのバーナ６を有するガスこんろであってもよい。
【００６７】
上記実施形態に係るガスこんろでは、トッププレート本体４１の上面は略水平面であるが、本開示では、トッププレート本体４１の上面には、凹み等の凹凸面があってもよい。
【００６８】
本実施形態に係るバーナリング４２は、トッププレート本体４１と別部材であったが、本開示では、バーナリング４２は、トッププレート本体４１と一体に形成されてもよい。
【００６９】
本開示でいう「傾斜面」及び「傾斜する面」等の傾斜面に関する表現は、平面のほか、曲面も含む。
【００７０】
本開示にて、「略平行」のように「略」を伴った表現が、用いられる場合がある。例えば、「略平行」とは、実質的に「平行」であることを意味し、厳密に「平行」な状態だけでなく、数度程度の誤差を含む意味である。他の「略」を伴った表現についても同様である。
【００７１】
また、本開示において「前端部」及び「前端」などのように、「…端部」と「…端」とで区別した表現が用いられている。例えば、「前端部」とは、「前端」を含む一定の範囲を持つ部分を意味する。他の「…端部」を伴った表現についても同様である。
【００７２】
（３）態様
以上説明したように、第１の態様に係る天板（４）は、一面に開口面（３１１）を有する筐体（３）に対し、開口面（３１１）に沿って取り付けられる天板（４）である。天板（４）は、筐体（３）の内部の空間に通じる内開口（４６３）と、内開口（４６３）に通じ、外部の空間に面する外開口（５１２）と、堰部（４６１）と、を備える。外開口（５１２）は、平面視において内開口（４６３）からずれた位置に形成される。堰部（４６１）は、平面視において内開口（４６３）と外開口（５１２）との間に形成され、外開口（５１２）から入った液体（Ｌ）が内開口（４６３）に入るのを遮る。
【００７３】
この態様によれば、万が一、煮こぼれ等の液体（Ｌ）が外開口（５１２）に入ったとしても、堰部（４６１）によって、液体（Ｌ）が内開口（４６３）に入るのを妨げることができる。このため、本実施形態に係る天板（４）によれば、外開口（５１２）から液体（Ｌ）が入っても、筐体（３）にまで浸入するのを抑えることができる。
【００７４】
第２の態様に係る天板（４）では、第１の態様において、内開口（４６３）は、堰部（４６１）の上端につながる上板部（４６２）に形成されている。
【００７５】
この態様によれば、液体Ｌが溜まっても、液体（Ｌ）が内開口（４６３）に入りにくい。
【００７６】
第３の態様に係る天板（４）では、第１又は第２の態様において、法線が後方向の成分を含む後向き面（５１１）を更に備える。外開口（５１２）が後向き面（５１１）に形成されている。
【００７７】
この態様によれば、前方から天板（４）を見た場合に、外開口（５１２）が見にくい位置に形成されているため、外開口（５１２）が目立たなく、見栄えのよい天板（４）とすることができる。
【００７８】
第４の態様に係る天板（４）では、第３の態様において、後向き面（５１１）は、後方向に行くに従って下方向に行くように水平面に対して傾斜している。
【００７９】
この態様によれば、天板（４）の後側の端部を壁面（Ｗ）に近接させた状態で設置しても、壁面（Ｗ）によって外開口（５１２）が塞がれないため、通気を確保することができる。
【００８０】
第５の態様に係る天板（４）では、第１〜第４のいずれか一つの態様において、外開口（５１２）は、外部の気体を筐体（３）の内部に取り込むための吸気口である。
【００８１】
この態様によれば、ガスこんろに使用すれば、筐体（３）内に一次空気を効果的に取り込むことができ、燃焼性のよいガスこんろとすることができる。
【００８２】
第６の態様に係る加熱調理器（１）は、一面に開口面（３１１）を有する筐体（３）と、筐体（３）に対し開口面（３１１）に沿って取り付けられた第１〜第５のいずれか一つの態様の天板（４）と、を備える。
【００８３】
この態様によれば、加熱調理器（１）において、外開口（５１２）から液体（Ｌ）が入っても、液体（Ｌ）が筐体（３）の内部に浸入するのを抑えることができる。
【００８４】
第２〜第５の態様に係る構成については、天板（４）に必須の構成ではなく、適宜省略可能である。
【符号の説明】
【００８５】
１        加熱調理器
３        筐体
３１１    開口面
４        天板
４６１    堰部
４６２    上板部
４６３    内開口
５１１    後向き面
５１２    外開口
Ｌ        液体
【図１】
2020148396.tif 000003
【図２】
2020148396.tif 000004
【図３】
2020148396.tif 000005
【図４】
2020148396.tif 000006
【図５】
2020148396.tif 000007
【図６】
2020148396.tif 000008